(57)【要約】【課題】全身を洗うことができるとともに、足の指を効果的に洗うことが可能な浴用タオルを提供する。【解決手段】浴用タオル１００は、短辺２０ｃｍ〜４０ｃｍ、長辺６０ｃｍ〜９０ｃｍのタオル生地の長辺方向に、幅３ｍｍ〜５ｍｍの切れ目１１０を平行に３つ設けたことを特徴とする。切れ目１００の両端部は丸み加工することができる。また、タオル生地は、伸縮性があるものを採用することができる。このような浴用タオル１００によれば、全身を洗うことができるとともに、切れ目１１０に足の指を入れることで、足の指を効果的に洗うことが可能である。【選択図】図１
0003190508.tif 000002
【実用新案登録請求の範囲】
【請求項１】
短辺２０ｃｍ〜４０ｃｍ、長辺６０ｃｍ〜９０ｃｍのタオル生地の長辺方向に、幅３ｍｍ〜５ｍｍの切れ目を平行に３つ設けたことを特徴とする、浴用タオル。
【請求項２】
前記切れ目の両端部が丸み加工されていることを特徴とする、請求項１に記載の浴用タオル。
【請求項３】
前記タオル生地は、伸縮性があることを特徴とする、請求項１又は２に記載の浴用タオル。
【考案の詳細な説明】
【技術分野】
【０００１】
本考案は、浴用タオルに係り、特に、全身を洗うことができるとともに、足の指を効果的に洗うことが可能な浴用タオルに関する。
【背景技術】
【０００２】
従来、足の指を洗うのに特化した浴用タオルとして、「ＡＳＨＩＹＵＢＩ  ＷＡＳＨ  ＴＯＷＥＬ」が知られている（例えば、非特許文献１参照）。この従来の浴用タオルは、１ｃｍほどの棒状の生地を４本つないだものであり、片足ずつ、その棒状の生地のすき間に足の指を入れることで、足の指を洗うことができる。
【先行技術文献】
【非特許文献】
【０００３】
【非特許文献１】インターネット＜ＵＲＬ：http://www.amazon.co.jp/%E3%82%A2%E3%83%AB%E3%83%95%E3%82%A1%E3%83%83%E3%82%AF%E3%82%B9-ASHIYUBI-WASH-TOWEL-%E3%83%96%E3%83%AB%E3%83%BC/dp/B0015XMN10＞
【考案の概要】
【考案が解決しようとする課題】
【０００４】
しかしながら、上記従来の浴用タオルは、足の指を洗うのに特化した大きさと構造であるため、全身を洗うためには別の浴用タオルが必要である。また、片足ずつ洗うために時間が掛かる。さらに、妊婦の方や太っている方の場合、片足ずつであっても洗いづらいという問題点があった。またさらに、生地自体が乾燥しにくいため、浴室内に置いておくと悪臭を発することがあった。浴用タオルを毎日外で干すのは面倒である。
【０００５】
そこで、本考案は、このような問題に鑑みてなされたもので、その目的とするところは、全身を洗うことができるとともに、足の指を効果的に洗うことの可能な、新規かつ改良された浴用タオルを提供することにある。
【課題を解決するための手段】
【０００６】
上記課題を解決するために、本考案によれば、短辺２０ｃｍ〜４０ｃｍ、長辺６０ｃｍ〜９０ｃｍのタオル生地の長辺方向に、幅３ｍｍ〜５ｍｍの切れ目を平行に３つ設けたことを特徴とする、浴用タオルが提供される。かかる考案によれば、適度な大きさであることによって全身を洗うことができるとともに、切れ目を設けたことで足の指を効果的に洗うことが可能である。
【０００７】
本考案の浴用タオルは様々な応用が可能である。例えば、前記切れ目の両端部に丸み加工を施してもよい。
【０００８】
また、前記タオル生地は、伸縮性があるものであってもよい。
【０００９】
なお、本明細書では「浴用タオル」という表現を用いているが、単に表現が相違するに過ぎないもの、例えば、「健康タオル」や「あかすり」又は単に「タオル」であっても、構成が同じものについては、当然に本考案の技術的範囲に属する。
【考案の効果】
【００１０】
本考案によれば、全身を洗うことができるとともに、足の指を効果的に洗うことが可能である。なお、本考案のその他の効果については、以下の考案を実施するための形態の項でも説明する。
【図面の簡単な説明】
【００１１】
【図１】本考案の一実施形態に係る浴用タオルを示す図である。
【図２】図１の浴用タオルの一使用例を示す図である。
【考案を実施するための形態】
【００１２】
以下に添付図面を参照しながら、本考案の好適な実施の形態について詳細に説明する。なお、本明細書及び図面において、実質的に同一の機能構成を有する構成要素については、同一の符号を付することにより重複説明を省略する。
【００１３】
図１は、本考案の一実施形態に係る浴用タオルを示す図である。
本実施形態に係る浴用タオル１００は、図１に示したように、タオル生地の長辺方向に、３つの切れ目１１０ａ、１１０ｂ、１１０ｃを略平行に設けたものである。なお本明細書及び図面において、３つの切れ目１１０ａ、１１０ｂ、１１０ｃを、符号１１０で総称する。
【００１４】
（タオル生地）
タオル生地は、全身を洗うことができるように、短辺が２０ｃｍ〜４０ｃｍ程度、長辺が６０ｃｍ〜９０ｃｍ程度の大きさである。本実施形態では、タオル生地は、一例として、短辺が２０ｃｍで、長辺が６０ｃｍのものとして説明する。
【００１５】
なお、参考までに、国内メーカーのタオルの一般的な種類とサイズは以下のとおりである。
・「浴用タオル」（３３ｃｍ〜３８ｃｍ×８０ｃｍ〜９０ｃｍ）：背中を楽に洗うことができる少し長めのサイズであり、すすぎが簡単で、絞りやすい薄手のタオルである。
・「フェイスタオル」（３４ｃｍ〜４０ｃｍ×６５ｃｍ〜８０ｃｍ）：手や顔を拭くのに便利なサイズである。
【００１６】
本実施形態の浴用タオル１００を構成するタオル生地は、上記の一般的な「浴用タオル」や「フェイスタオル」を含むほか、いわゆる「あかすり」と呼ばれるサイズのものも含む。
【００１７】
タオル生地は、伸縮性のあるものを採用することができる。例えば、タオル生地の長辺が６０ｃｍの場合、１００ｃｍ程度まで伸びる素材を採用することができる。浴用タオル１００の両端を持って左右に引っ張りながら洗うことができ、全身及び足の指を洗いやすい。また、使用後は十分に絞ることができるので、乾燥しやすいなどの効果がある。
【００１８】
（切れ目１１０）
切れ目１１０は、図１に示したように、足の指を効果的に洗うことが可能なように、タオル生地の長辺方向に、略平行に３つ設けられている。すなわち、切れ目１１０ａに足の人差し指を入れ、切れ目１１０ｂに足の中指を入れ、切れ目１１０ｃに足の薬指を入れることで、一度に全部の足の指を洗うことができる。このようにして、足の指を洗う時間を短縮することができる。また、妊婦の方や太っている方の場合でも、両足の指を簡単に洗うことができる。
【００１９】
切れ目１１０の幅は、足の指を入れて洗うのに適した幅とすることができ、例えば、３ｍｍ〜５ｍｍ程度とすることができる。切れ目１１０の幅は、タオル生地の素材やサイズ等に応じて、足の指を入れやすいように適宜調整することが可能である。切れ目１１０どおしの間隔も適宜調整可能である。例えば、切れ目１１０ａと切れ目１１０ｂとの間を４ｃｍとし、切れ目１１０ｂと切れ目１１０ｃとの間も４ｃｍとすることができる。
【００２０】
切れ目１１０の長さは、タオル生地の長辺が６０ｃｍの場合、例えば４６ｃｍ程度とすることができる。この程度の長さであれば、図２に示したように、切れ目１１０に両足を入れることができ、両足の指を一度に全部洗うことが可能である。なお、切れ目１１０の長さは任意であるが、切れ目１１０をあまりに短くすると、両足の指を同時に洗いにくい。一方、切れ目１１０をあまりに長くすると、浴用タオル１００の耐久性に影響するおそれがある。このため、タオル生地の素材やサイズ等を考慮しつつ、切れ目１１０を適切な長さとすることが好ましい。
【００２１】
切れ目１１０は、図１に示したように、両端部が丸み加工されている。これにより、摩擦で足の指の間を損傷する危険性を、効果的に低減させることが可能である。なお、浴用タオル１１０で全身を洗うときには、切れ目１１０に手の指を引っかけることもできる。この際、切れ目１１０の両端部が丸み加工されていることによって、手の指の間を損傷する危険性も低減することができる。
【００２２】
以上、本実施形態に係る浴用タオル１００の構成について説明した。次いで、浴用タオル１００の使い方について説明する。
【００２３】
浴用タオル１００の使い方としては、一般的な浴用タオルやあかすりと同様である。すなわち、浴室の椅子に座るなどして、浴用タオル１００に石鹸を泡立てる。そして、浴用タオル１００を左右に引っ張りながら洗う。例えば、最初に全身を洗い、最後に足の指の間を洗うことができる。足の指を洗うときには、図２に示したように、切れ目１１０に両足を入れることができ、両足の指を一度に全部洗うことが可能である。このようにして、一枚の浴用タオル１００で、全身が洗えるとともに、一度に両足の指の間が洗える。
【００２４】
使用後は、十分に絞ってから、浴室内に干しておけば簡単に乾く。外見が一般的な浴用タオルやあかすりと変わらないので、足の指を洗うのに特化した従来の浴用タオルと異なり、家族の浴用タオルと並べても不快にさせることがない。
【００２５】
以上説明したように、本実施形態によれば、全身を洗うことができるとともに、足の指を効果的に洗うことが可能である。
【００２６】
以上、添付図面を参照しながら本考案の好適な実施形態について説明したが、本考案はかかる例に限定されないことは言うまでもない。当業者であれば、実用新案登録請求の範囲に記載された範疇内において、各種の変更例または修正例に想到し得ることは明らかであり、それらについても当然に本考案の技術的範囲に属するものと了解される。
【００２７】
例えば、上記実施形態では、浴用タオル１００における様々なサイズについて、具体的な数値を挙げて説明したが、本考案はその数値に限定されない。
【００２８】
また、上記実施形態では、切れ目１１０の両端部が丸み加工されている例について説明したが、本考案はこれに限定されない。例えば、切れ目１１０の両端部の部分だけ、生地を変えるようにしてもよい。同様に足の指の損傷を防止することが可能である。
【００２９】
また、上記実施形態では、タオル生地として伸縮性があるものの例について説明したが、本考案はこれに限定されず、伸縮性のないものを採用してもよい。
【００３０】
また、上記実施形態では、切れ目１１０を、タオル生地の長辺と平行に３つ設けた例について説明したが、本考案はこれに限定されない。例えば、切れ目１１０をタオル生地と平行に設けるとタオル生地の耐性が弱くなるような場合には、タオル生地の長辺と切れ目１１０とは必ずしも平行でなくてもよい。
【産業上の利用可能性】
【００３１】
本考案は、浴用タオルに利用可能であり、特に、全身を洗うことができるとともに、足の指を効果的に洗うことが可能な浴用タオルに利用可能である。
【符号の説明】
【００３２】
１００  浴用タオル
１１０（１１０ａ、１１０ｂ、１１０ｃ）  切れ目
【図１】
0003190508.tif 000003
【図２】
0003190508.tif 000004